(57)【要約】【課題】ハウジングとシーリング部品との組み付けの容易さと、シーリング部品による止水性の向上と、を両立可能なコネクタを提供すること。【解決手段】コネクタ１は、係止孔１５を有するハウジング２と、係止孔１５に挿通・係止される柱状の係止部３２を有してハウジング２に組み付けられるシーリング部品３とを備える。係止部３２は、係止孔１５の周縁部２２に係合する先端箇所３５と、先端箇所３５から延びる柱状箇所３４とを有する。柱状箇所３４の非湾曲状態にて柱軸方向から見たときの先端箇所３５の大きさ（幅ａ）よりも、柱状箇所３４が湾曲して先端箇所３５が柱軸方向に対して所定の向きに傾いた状態にて柱軸方向から見たときの先端箇所３５の大きさ（幅ｂ）が小さい。ハウジング２とシーリング部品３との組み付けの際、先端箇所３５が前記向きに傾くように柱状箇所３４が湾曲した状態にて、先端箇所３５が係止孔１５を通り抜ける。【選択図】図６
2020119835.tif 000002
【特許請求の範囲】
【請求項１】
係止孔を有するハウジングと、
前記係止孔に挿通されて係止される柱状の係止部を有し、前記係止部の柱軸方向に沿って前記ハウジングに組み付けられるシーリング部品と、
を備えたコネクタであって、
前記係止部は、
前記係止孔を通り抜けて前記係止孔の周縁部に係合する先端箇所と、前記先端箇所から延びる柱状箇所と、を有し、
前記先端箇所は、
前記柱状箇所が湾曲していない状態にて前記柱軸方向から見たときの前記先端箇所の大きさよりも、前記柱状箇所が湾曲して前記先端箇所が前記柱軸方向に対して所定の向きに傾いた状態にて前記柱軸方向から見たときの前記先端箇所の大きさが小さくなる、形状を有し、
当該コネクタは、
前記ハウジングと前記シーリング部品との組み付けの際、前記先端箇所が前記向きに傾くように前記柱状箇所が湾曲した状態にて、前記先端箇所が前記係止孔を通り抜ける、ように構成された、
コネクタ。
【請求項２】
請求項１に記載のコネクタにおいて、
前記柱状箇所は、
当該柱状箇所の側面に窪みを有し、
当該コネクタは、
前記ハウジングと前記シーリング部品との組み付けの際、前記窪みを起点として前記柱状箇所が湾曲することによって前記先端箇所が前記向きに傾く、ように構成された、
コネクタ。
【請求項３】
請求項２に記載のコネクタにおいて、
前記係止孔の孔内面のうち前記柱状箇所の前記窪みに向かい合う面が、前記柱軸方向に対して前記向きに傾いた軸方向に沿うように傾斜している、
コネクタ。
【請求項４】
請求項２又は請求項３に記載のコネクタにおいて、
前記先端箇所と前記窪みとが連続するように、前記窪みが設けられている、
コネクタ。
【請求項５】
請求項１〜請求項４の何れか一項に記載のコネクタにおいて、
前記係止孔は、
前記柱軸方向から見たときの開口の大きさよりも、前記柱軸方向に対して前記向きに傾いた軸方向から見たときの開口の大きさが大きい、
コネクタ。
【請求項６】
係止孔を有するハウジングと、前記係止孔に挿通されて係止される柱状の係止部を有し且つ前記係止部の柱軸方向に沿って前記ハウジングに組み付けられるシーリング部品と、を備えたコネクタを製造するための、コネクタの製造方法であって、
前記係止部は、
前記係止孔を通り抜けて前記係止孔の周縁部に係合する先端箇所と、前記先端箇所から延びる柱状箇所と、を有し、
前記先端箇所は、
前記柱状箇所が湾曲していない状態にて前記柱軸方向から見たときの前記先端箇所の大きさよりも、前記柱状箇所が湾曲して前記先端箇所が前記柱軸方向に対して所定の向きに傾いた状態にて前記柱軸方向から見たときの前記先端箇所の大きさが小さくなる、形状を有し、
当該製造方法は、
前記先端箇所が前記向きに傾くように前記柱状箇所を湾曲させながら前記ハウジングと前記シーリング部品とを組み付ける組付工程、を含む、
コネクタの製造方法。
【請求項７】
請求項６に記載の製造方法において、
前記柱状箇所は、当該柱状箇所の側面に窪みを有し、
前記組付工程において、
前記窪みを起点として前記柱状箇所を湾曲させることにより、前記先端箇所を前記向きに傾ける、
コネクタの製造方法。
【請求項８】
請求項７に記載の製造方法において、
前記ハウジングは、
前記係止孔の孔内面のうち前記柱状箇所の前記窪みに向かい合う第１面が、前記柱軸方向に対して前記向きに傾いた軸方向に沿うように傾斜し、且つ、前記柱状箇所を挟んで第１面に向かい合う第２面が、前記柱軸方向に交差して前記第１面に近付く向きに突出する、ように構成され、
前記組付工程において、
前記先端箇所を前記第２面に接触させることによって前記先端箇所を前記柱軸方向に対してオフセットさせて前記第１面に近付けるように変位させた後、前記先端箇所を前記第１面に接触させることによって前記先端箇所を前記向きに傾ける、
コネクタの製造方法。
【発明の詳細な説明】
【技術分野】
【０００１】
本発明は、ハウジングと、ハウジングに組み付けられるシーリング部品と、を備えるコネクタ、及び、そのようなコネクタの製造方法に関する。
【背景技術】
【０００２】
従来から、コネクタの止水性を向上させる等の観点から、シーリング部品（パッキン等）がハウジングに組み付けられたコネクタが提案されている。例えば、従来のコネクタの一つは、シーリング部品であるパッキンから延びる柱状の係止部を、ハウジングに設けた係止孔に挿入して係合させることで、シーリング部品をハウジングに組み付けるようになっている（例えば、特許文献１〜３を参照）。
【先行技術文献】
【特許文献】
【０００３】
【特許文献１】特開２０１０−０９２６１４号公報
【特許文献２】特開平１−０９５４７５号公報
【特許文献３】特開平９−１２９３０３号公報
【発明の概要】
【発明が解決しようとする課題】
【０００４】
上述した従来のコネクタに用いられるシーリング部品が有する柱状の係止部は、基端側から先端側に向けて徐々に細くなる先細り形状（換言すると、矢尻状の形状）を有する先端箇所と、先端箇所よりも小径であり且つシーリング部品の本体部に向けて延びる柱状箇所（首状の箇所）と、を有している。係止部の先端箇所（矢尻状の箇所）は、ハウジングの係止孔よりも大径となっている。そして、ハウジングの係止孔に係止部の先端箇所を挿通させるとともに、先端箇所を係止孔に引っ掛けることで、シーリング部品がハウジングに固定されるようになっている。
【０００５】
ところで、通常、シーリング部品は、止水性を高める等の観点から、コネクタと相手側コネクタとに挟まれた際に変形し得る程度に柔軟性のある材料（例えば、ゴム等）から構成される。ところが、係止部の先端箇所（矢尻状の箇所）をハウジングの係止孔に挿通させるとき、この柔軟性に起因し、係止部の柱状箇所（首状の箇所）が意図せずランダムな方向に曲がってしまい、ハウジングへのシーリング部品の組み付けが困難となる場合がある。
【０００６】
このような係止部の意図しない湾曲への対策として、シーリング部品を硬質な材料で構成することが考えられる。しかし、この場合、先端箇所（矢尻状の箇所）が硬くなることで係止孔に先端箇所を挿通させ難くなり、且つ、シーリング部品の本体部も硬くなることで本来の機能である止水性が損なわれる可能性もある。このように、従来のコネクタでは、ハウジングとシーリング部品との組み付けの容易さと、シーリング部品による止水性の向上と、の両立が困難であった。
【０００７】
本発明は、上述した事情に鑑みてなされたものであり、その目的は、ハウジングとシーリング部品との組み付けの容易さと、シーリング部品による止水性の向上と、を両立可能なコネクタ、及び、そのようなコネクタの製造方法、を提供することにある。
【課題を解決するための手段】
【０００８】
前述した目的を達成するために、本発明に係る「コネクタ」及び「コネクタの製造方法」は、下記［１］〜［８］を特徴としている。
［１］
係止孔を有するハウジングと、
前記係止孔に挿通されて係止される柱状の係止部を有し、前記係止部の柱軸方向に沿って前記ハウジングに組み付けられるシーリング部品と、
を備えたコネクタであって、
前記係止部は、
前記係止孔を通り抜けて前記係止孔の周縁部に係合する先端箇所と、前記先端箇所から延びる柱状箇所と、を有し、
前記先端箇所は、
前記柱状箇所が湾曲していない状態にて前記柱軸方向から見たときの前記先端箇所の大きさよりも、前記柱状箇所が湾曲して前記先端箇所が前記柱軸方向に対して所定の向きに傾いた状態にて前記柱軸方向から見たときの前記先端箇所の大きさが小さくなる、形状を有し、
当該コネクタは、
前記ハウジングと前記シーリング部品との組み付けの際、前記先端箇所が前記向きに傾くように前記柱状箇所が湾曲した状態にて、前記先端箇所が前記係止孔を通り抜ける、ように構成された、
コネクタであること。
［２］
上記［１］に記載のコネクタにおいて、
前記柱状箇所は、
当該柱状箇所の側面に窪みを有し、
当該コネクタは、
前記ハウジングと前記シーリング部品との組み付けの際、前記窪みを起点として前記柱状箇所が湾曲することによって前記先端箇所が前記向きに傾く、ように構成された、
コネクタであること。
［３］
上記［２］に記載のコネクタにおいて、
前記係止孔の孔内面のうち前記柱状箇所の前記窪みに向かい合う面が、前記柱軸方向に対して前記向きに傾いた軸方向に沿うように傾斜している、
コネクタであること。
［４］
上記［２］又は上記［３］に記載のコネクタにおいて、
前記先端箇所と前記窪みとが連続するように、前記窪みが設けられている、
コネクタであること。
［５］
上記［１］〜上記［４］の何れか一つに記載のコネクタにおいて、
前記係止孔は、
前記柱軸方向から見たときの開口の大きさよりも、前記柱軸方向に対して前記向きに傾いた軸方向から見たときの開口の大きさが大きい、
コネクタであること。
［６］
係止孔を有するハウジングと、前記係止孔に挿通されて係止される柱状の係止部を有し且つ前記係止部の柱軸方向に沿って前記ハウジングに組み付けられるシーリング部品と、を備えたコネクタを製造するための、コネクタの製造方法であって、
前記係止部は、
前記係止孔を通り抜けて前記係止孔の周縁部に係合する先端箇所と、前記先端箇所から延びる柱状箇所と、を有し、
前記先端箇所は、
前記柱状箇所が湾曲していない状態にて前記柱軸方向から見たときの前記先端箇所の大きさよりも、前記柱状箇所が湾曲して前記先端箇所が前記柱軸方向に対して所定の向きに傾いた状態にて前記柱軸方向から見たときの前記先端箇所の大きさが小さくなる、形状を有し、
当該製造方法は、
前記先端箇所が前記向きに傾くように前記柱状箇所を湾曲させながら前記ハウジングと前記シーリング部品とを組み付ける組付工程、を含む、
コネクタの製造方法であること。
［７］
上記［６］に記載の製造方法において、
前記柱状箇所は、当該柱状箇所の側面に窪みを有し、
前記組付工程において、
前記窪みを起点として前記柱状箇所を湾曲させることにより、前記先端箇所を前記向きに傾ける、
コネクタの製造方法であること。
［８］
上記［７］に記載の製造方法において、
前記ハウジングは、
前記係止孔の孔内面のうち前記柱状箇所の前記窪みに向かい合う第１面が、前記柱軸方向に対して前記向きに傾いた軸方向に沿うように傾斜し、且つ、前記柱状箇所を挟んで第１面に向かい合う第２面が、前記柱軸方向に交差して前記第１面に近付く向きに突出する、ように構成され、
前記組付工程において、
前記先端箇所を前記第２面に接触させることによって前記先端箇所を前記柱軸方向に対してオフセットさせて前記第１面に近付けるように変位させた後、前記先端箇所を前記第１面に接触させることによって前記先端箇所を前記向きに傾ける、
コネクタの製造方法であること。
【０００９】
上記［１］の構成のコネクタによれば、ハウジングとシーリング部品との組み付けの際、シーリング部品から延びる柱状の係止部の先端箇所（例えば、従来のコネクタにおける矢尻状の箇所）があらかじめ設計された（即ち、従来のコネクタのようなランダムではない）「所定の向き」に傾くように、係止部の柱状箇所（例えば、従来のコネクタにおける首状の箇所）が湾曲する。係止部の先端箇所は、柱状箇所が湾曲していない状態にて柱軸方向から見たときの先端箇所の大きさ（例えば、図６等に示す断面における幅。最大断面積とも言い得る）よりも、柱状箇所が湾曲して先端箇所が柱軸方向に対して「所定の向き」に傾いた状態にて柱軸方向から見たときの先端箇所の大きさ（例えば、断面における幅）の方が小さい。そのため、係止部の先端箇所が「所定の向き」に傾くことで、先端箇所がハウジングの係止孔を通り易くなる。
【００１０】
換言すると、シーリング部品を柔軟な材料で構成した場合であっても、従来のコネクタのように係止部がランダムな方向に湾曲するのではなく、先端箇所が係止孔を通り易くなる「所定の向き」に係止部が湾曲するため、両者の組み付けを適正に行い得る。また、仮にシーリング部品をある程度硬質な材料で構成しても、上述したように先端箇所が係止孔を通り易いため、両者の組み付けを適正に行い得る。
【００１１】
このように、本構成のコネクタは、係止部が湾曲する向きを意図的に制御することで、ハウジングとシーリング部品との組み付けの容易さと、シーリング部品による止水性の向上と、を両立可能となっている。
【００１２】
上記［２］の構成のコネクタによれば、係止部の柱状箇所に窪み（例えば、切り欠き）が設けられ、この窪みを起点として先端箇所が「所定の向き」に傾く。よって、窪みの位置や大きさ等を調整することで、先端箇所の傾きを任意に制御できることになる。
【００１３】
上記［３］の構成のコネクタによれば、係止孔の孔内面のうちの係止部の窪みに向かい合う部分が、柱軸方向に対して「所定の向き」に傾いた軸方向（以下「傾斜軸方向」ともいう。）に沿うように傾いている。よって、窪みを起点に係止部の柱状箇所が湾曲し、湾曲した柱状箇所が孔内面に向けて突出しても、柱状箇所が孔内面に突き当たり難い。逆に言えば、孔内面が柱状箇所の湾曲の妨げになり難い。よって、係止部の先端箇所が「所定の向き」に傾くように、柱状箇所を適正に湾曲させることができる。
【００１４】
上記［４］の構成のコネクタによれば、係止部の先端箇所と窪みとが連続するように、窪みが設けられている。ここで、仮に、係止部の先端箇所と窪みとが離れていると、係止部が湾曲した際、先端箇所と窪みとの間にある部分が係止孔の孔内面に向けて突出し、この部分と孔内面とが接触する可能性がある。この接触に起因し、例えば、先端箇所が係止孔を通過し難くなる懸念がある。しかし、係止部の先端箇所と窪みとが連続する場合、このような懸念を無くすことができる。よって、ハウジングとシーリング部品との組み付けを更に適正に行い得る。
【００１５】
上記［５］の構成のコネクタによれば、係止孔を柱軸方向から見たときの係止孔の開口の大きさ（例えば、図６等に示す断面における幅。開口面積とも言い得る）よりも、係止孔を傾斜軸方向から見たときの係止孔の開口の大きさ（例えば、断面における幅）が大きい。よって、係止部の先端箇所が傾斜軸に沿った「所定の向き」に傾くことによる組み付け性の向上に加え、係止孔の見かけ上の開口の大きさが増大することにより、更にハウジングとシーリング部品との組み付けを適正に行い得る。
【００１６】
上記［６］の構成のコネクタの製造方法によれば、ハウジングとシーリング部品との組み付けの際、シーリング部品から延びる柱状の係止部の先端箇所があらかじめ設計された「所定の向き」に傾くように、係止部の柱状箇所が湾曲する。係止部の先端箇所は、柱状箇所が湾曲していない状態にて柱軸方向から見たときの先端箇所の大きさよりも、柱状箇所が湾曲して先端箇所が柱軸方向に対して「所定の向き」に傾いた状態にて柱軸方向から見たときの先端箇所の大きさの方が小さい。そのため、係止部の先端箇所が「所定の向き」に傾くことで、先端箇所がハウジングの係止孔を通り易くなる。換言すると、シーリング部品を柔軟な材料で構成した場合であっても、従来のコネクタのように係止部がランダムな方向に曲がるのではなく、先端箇所が係止孔を通り易くなる「所定の向き」に係止部が湾曲するため、両者の組み付けを適正に行い得る。また、シーリング部品をある程度硬質な材料で構成しても、上述したように先端箇所が係止孔を通り易いため、両者の組み付けを適正に行い得る。
【００１７】
このように、本構成のコネクタの製造方法は、係止部が湾曲する向きを意図的に制御することで、ハウジングとシーリング部品との組み付けの容易さと、シーリング部品による止水性の向上と、を両立可能となっている。
【００１８】
上記［７］の構成のコネクタの製造方法によれば、係止部の柱状箇所に窪み（例えば、切り欠き）が設けられ、この窪みを起点として先端箇所が「所定の向き」に傾く。よって、窪みの位置や大きさ等を調整することで、先端箇所の傾きを任意に制御できることになる。
【００１９】
上記［８］の構成のコネクタの製造方法によれば、ハウジングの係止孔が、係止孔の孔内面のうち係止部の窪みに向かい合う第１面が、傾斜軸方向に沿うように傾斜し、且つ、柱状箇所を挟んで第１面に向かい合う第２面が、柱軸方向に交差して第１面に近付く向きに突出する、ようになっている（例えば、図６等の断面を参照）。これにより、係止部の先端箇所が係止孔に挿通される際、まず、先端箇所を第２面（第１面と逆側の面）に接触させることによって先端箇所を柱軸方向に対してオフセットさせて第１面に近付けるように変位させた後、先端箇所を第１面に接触させることによって先端箇所を「所定の向き」に傾けることができる。発明者による検討によれば、このように係止部の先端箇所を一旦オフセットさせた後に係止部の柱状箇所を湾曲させることで、係止部が湾曲する向きを適正に制御できることが明らかになっている。よって、本構成の製造方法により、ハウジングとシーリング部品との組み付けを更に適正に行い得る。
【発明の効果】
【００２０】
本発明によれば、ハウジングとシーリング部品との組み付けの容易さと、シーリング部品による止水性の向上と、を両立可能なコネクタ、及び、そのようなコネクタの製造方法を提供できる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】図１は、本発明の実施形態に係るコネクタの分解斜視図である。
【図２】図２は、図１のＡ−Ａ断面図である。
【図３】図３（ａ）は、図２に示したハウジングの断面の上面図であり、図３（ｂ）は、図３（ａ）のＢ部の拡大図である。
【図４】図４（ａ）は、図２に示したパッキンの断面の上面図であり、図４（ｂ）は、図４（ａ）のＣ部の拡大図である。
【図５】図５（ａ）〜図５（ｃ）は、パッキンのハウジングへの組み付けの際における、パッキンの係止部の弾性変形の態様の推移を説明するための図である。
【図６】図６（ａ）は、パッキンが組み付けられたハウジングにおける図３（ａ）に対応する図であり、図６（ｂ）は、ハウジングの係止孔とパッキンの係止部との寸法関係を説明するための図である。
【発明を実施するための形態】
【００２３】
＜実施形態＞
以下、図面を参照しながら、本発明の実施形態に係るコネクタ１について説明する。図１に示すように、コネクタ１は、ハウジング２と、ハウジング２に組み付けられるパッキン３と、を有する。パッキン３が組み付けられたハウジング２（図６（ａ）も参照）が、相手側ハウジング４と嵌合することで、ハウジング２に収容される端子（図示省略）と相手側ハウジング４に収容される端子（図示省略）とが電気的に接続され、且つ、パッキン３により、ハウジング２及び相手側ハウジング４の嵌合部分の止水機能が発揮される。
【００２４】
以下、説明の便宜上、図１〜図６に示すように、「前後方向」、「幅方向」、「上下方向」、「前」、及び「後」を定義する。「前後方向」、「幅方向」及び「上下方向」は、互いに直交している。前後方向は、ハウジング２と相手側ハウジング４との嵌合方向、及び、パッキン３のハウジング２への組付方向（柱軸方向）、と一致している。以下、コネクタ１を構成するハウジング２及びパッキン３について順に説明する。
【００２５】
まず、ハウジング２について説明する。樹脂製のハウジング２は、図１、図２及び図３に示すように、前後方向に延びる筒状の外筒部１１を有する。外筒部１１は、後端が開口し、前端開口が前端壁１２によって塞がれている。
【００２６】
外筒部１１の内部空間には、前端壁１２から後方に突出する略直方体状の端子収容部１３が位置している。端子収容部１３には、複数（本例では、４つ）の端子（図示省略）が収容されるようになっている。外筒部１１の内壁と端子収容部１３の外壁との間には、環状隙間１４が形成されている。この環状隙間１４には、パッキン３及び相手側ハウジング４の筒状部５（図１参照）が挿入されることになる。
【００２７】
前端壁１２における四隅近傍箇所には、それぞれ、前後方向に貫通し且つ環状隙間１４に連通する係止孔１５が形成されている（図１も参照）。図３（ａ）及び図３（ｂ）に示すように、係止孔１５の孔内面のうち幅方向外側の面（図３（ｂ）において右側の面）は、前後方向且つ上下方向に沿う平面である外側面１６と、外側面１６の後端部１８から連続して後方且つ幅方向外側に向けて傾斜して延びる平面である外側斜面１７と、で構成されている。
【００２８】
係止孔１５の孔内面のうち幅方向内側の面（図３（ｂ）において左側の面）には、外側面１６の後端部１８より後側の位置にて、外側斜面１７に近づくように幅方向外側に向けて突出する突部１９が設けられている。突部１９の表面は、前後方向且つ上下方向に沿う平面である頂面２１と、幅方向且つ上下方向に沿う平面である前端面２２と、頂面２１の後端部から連続して後方且つ幅方向内側に向けて傾斜して延びる平面である内側斜面２３と、で構成されている。この突部１９の前端面２２が、パッキン３のハウジング２への組み付け完了状態にて、パッキン３の後述する先端箇所３５の後端面４１（図４（ｂ）及び図６（ｂ）参照）を係止することになる。以上、ハウジング２について説明した。
【００２９】
次いで、パッキン３について説明する。ゴム製のパッキン３は、図１、図２及び図４に示すように、筒状の本体部３１を有する。本体部３１の前端面（環状の面）におけるハウジング２の４つの係止孔１５に対応する箇所には、それぞれ、前方に突出する柱状の係止部３２が一体に設けられている。本体部３１の後端部の外周には、径方向外側に突出する環状のリップ部３３が一体で形成されている。
【００３０】
図４（ａ）及び図４（ｂ）に示すように、係止部３２は、本体部３１から柱状に前方に突出する柱状箇所３４と、柱状箇所３４の先端部（前端部）に連続する先端箇所３５とを有する。先端箇所３５における幅方向外側面（図４（ｂ）において右側の面）は、前後方向且つ上下方向に沿う平面である外側面３６で構成されている。先端箇所３５における幅方向内側面（図４（ｂ）において左側の面）には、幅方向内側に向けて突出する突部３７が設けられている。
【００３１】
突部３７の表面は、前後方向且つ上下方向に沿う平面である頂面３８と、頂面３８の前端部から連続して前方且つ幅方向外側に向けて傾斜して延びる平面である斜面３９と、幅方向且つ上下方向に沿う平面である後端面４１と、で構成されている。
【００３２】
柱状箇所３４の幅方向外側面の前端部には、先端箇所３５の外側面３６の後端部から連続するように、幅方向内側に窪んだ窪み４２が形成されている。この窪み４２の存在により、柱状箇所３４において窪み４２が形成された箇所の肉厚（幅方向の厚み）が局所的に小さくなっている。このため、柱状箇所３４が幅方向に湾曲する場合、柱状箇所３４は、窪み４２を起点して湾曲するようになっている。以上、パッキン３について説明した。
【００３３】
次いで、パッキン３のハウジング２への組み付けについて説明する。パッキン３をハウジング２へ組み付けるには、まず、パッキン３の本体部３１をハウジング２の環状隙間１４に挿入する。次いで、パッキン３の４本の係止部３２をハウジング２の複数の係止孔１５にそれぞれ挿入する。そして、図６（ａ）及び図６（ｂ）に示すように、係止部３２の先端箇所３５の突部３７の後端面４１が係止孔１５の突部１９の前端面２２に係止されるまで、パッキン３をハウジング２に対して前方に押し込む。
【００３４】
これにより、パッキン３のハウジング２への組み付けが完了し、コネクタ１が得られる。パッキン３の組み付け完了状態（図６（ａ）参照）では、後端面４１と前端面２２との係止により、パッキン３のハウジング２からの脱落が防止される。なお、パッキン３のハウジング２への組み付けの際における、パッキン３の係止部３２の弾性変形の態様の推移については、図５を参照しながら後に詳述する。
【００３５】
パッキン３の組み付け完了状態にあるハウジング２の環状隙間１４に、相手側ハウジング４の筒状部５（図１参照）が嵌合されると、パッキン３の環状のリップ部３３が筒状部５の内周面に全周に亘って密着することで、ハウジング２及び相手側ハウジング４の嵌合部分の止水機能が発揮される。
【００３６】
次いで、図６（ｂ）を参照しながら、ハウジング２の係止孔１５とパッキン３の係止部３２との寸法関係を説明する。図６（ｂ）に示すように、柱状箇所３４が湾曲していない状態にて、前後方向（柱軸方向）Ｌ１から見たときの先端箇所３５の幅寸法ａ（外側面３６と頂面３８との間隔）は、前後方向Ｌ１から見たときの係止孔１５の開口幅寸法ｃ（外側面１６と頂面２１との間隔）より大きい（ｃ＜ａ）。
【００３７】
なお、説明の便宜上、図６（ａ）及び図６（ｂ）では、図示された断面上での先端箇所３５の「幅」と係止孔１５の開口「幅」寸法との大小関係が示されている。しかし、これら幅に対応する先端箇所３５の「断面積」や係止孔１５の「開口面積」も、これら幅と同様の大小関係を有している。即ち、柱状箇所３４が湾曲していない状態にて、前後方向（柱軸方向）Ｌ１から見たときの先端箇所３５の最大断面積ｘは、前後方向Ｌ１から見たときの係止孔１５の開口面積ｙより大きい（ｙ＜ｘ）。後述する各種の「幅」についても、同様である。
【００３８】
柱状箇所３４が湾曲していない状態にて先端箇所３５の突部３７の斜面３９が延在する方向（上下方向から見て、前後方向Ｌ１から角度θ１だけ時計回りに回転した方向）からみたときの先端箇所３５の幅寸法ｂ（外側面３６の後端部４３と斜面３９との間隔）は、係止孔１５の開口幅寸法ｃより小さい（ｂ＜ｃ）（即ち、ｂ＜ｃ＜ａ）。なお、幅寸法ｂは、柱状箇所３４が湾曲して先端箇所３５が上下方向から見て角度θ１だけ反時計回りに傾いた状態にて、前後方向（柱軸方向）Ｌ１から見たときの先端箇所３５の幅寸法、と同義であり、そのように定義することもできる。
【００３９】
係止孔１５の外側斜面１７が延在する傾斜軸方向Ｌ２から見たときの係止孔１５の開口幅寸法ｄ（頂面２１の前端部２４と外側斜面１７との間隔）は、係止孔１５の開口幅寸法ｃより大きい（ｃ＜ｄ）。
【００４０】
次いで、図５を参照しながら、パッキン３のハウジング２への組み付けの際における、パッキン３の係止部３２の弾性変形の態様の推移について説明する。パッキン３の係止部３２のハウジング２の係止孔１５への挿入が進行すると、まず、図５（ａ）に示すように、係止部３２の先端箇所３５における突部３７（より正確には斜面３９）が係止孔１５の突部１９（より正確には内側斜面２３）に当接する。
【００４１】
この状態から挿入が更に進行すると、突部３７が突部１９から幅方向外側（図５（ａ）において右側）に押圧されることで、柱状箇所３４が幅方向外側に弾性変形して突部３７が突部１９の頂面２１に乗り上げられる。これにより、先端箇所３５が幅方向外側にオフセットされる（図５（ａ）中の白矢印を参照）。
【００４２】
挿入が更に進行すると、図５（ｂ）に示すように、幅方向外側にオフセットされた状態にある先端箇所３５が、係止孔１５の外側斜面１７に当接する。この状態から挿入が更に進行すると、先端箇所３５が外側斜面１７から幅方向内側（図５（ｂ）において左側）に押圧されることで、柱状箇所３４が窪み４２を起点として湾曲して、先端箇所３５が上下方向から見て反時計回り（即ち「所定の向き」）に傾く（図５（ｂ）中の白矢印を参照）。
【００４３】
このとき、先端箇所３５は、およそ角度θ１（図６（ｂ）参照）だけ反時計回りに傾く。この結果、先端箇所３５の斜面３９が、頂面２１に対して略平行に対向する状態となる。即ち、先端箇所３５が傾かない場合と比べて、上述した「ｂ＜ｃ及びｃ＜ｄ」の関係に起因して、先端箇所３５が係止孔１５を通過し易くなる。
【００４４】
この状態から挿入が更に進行すると、図５（ｃ）に示すように、先端箇所３５の突部３７が係止孔の突部１９を乗り越える。この結果、上述した先端箇所３５のオフセットが解除され、且つ、柱状箇所３４の湾曲の解除により先端箇所３５の傾きが解除される（図５（ｃ）の白矢印を参照）。そして、先端箇所３５の突部３７の後端面４１が係止孔１５の突部１９の前端面２２に係止されて、パッキン３のハウジング２への組み付けが完了する。以上、パッキン３のハウジング２への組み付けの際における、パッキン３の係止部３２の弾性変形の態様の推移について説明した。
【００４５】
＜作用・効果＞
以上、本発明の実施形態に係るコネクタ１によれば、ハウジング２とパッキン３との組み付けの際、パッキン３の本体部３１から延びる柱状の係止部３２の先端箇所３５があらかじめ設計された「所定の向き」に傾くように、係止部３２の柱状箇所３４が湾曲する。係止部３２の先端箇所３５は、柱状箇所３４が湾曲していない状態にて前後方向から見たときの先端箇所３５の大きさ（図６（ｂ）に示す幅寸法ａ）よりも、柱状箇所３４が湾曲して先端箇所３５が前後方向に対して「所定の向き」に傾いた状態にて前後方向から見たときの先端箇所３５の大きさ（幅寸法ｂ）の方が小さい（ｂ＜ａ、図６（ｂ）参照）。そのため、係止部３２の先端箇所３５が「所定の向き」に傾くことで、先端箇所３５がハウジング２の係止孔１５を通り易くなる。
【００４６】
よって、パッキン３をゴムなどの柔軟な材料で構成した場合であっても、従来のコネクタのように係止部３２がランダムな方向に曲がるのではなく、先端箇所３５が係止孔１５を通り易くなる「所定の向き」に係止部３２が湾曲するため、両者の組み付けを適正に行い得る。また、パッキン３をある程度硬質な材料で構成しても、上述したように先端箇所３５が係止孔１５を通り易いため、両者の組み付けを適正に行い得る。
【００４７】
このように、本発明の実施形態に係るコネクタ１によれば、係止部３２が湾曲する向きを意図的に制御することで、ハウジング２とパッキン３との組み付けの容易さと、パッキン３による止水性の向上と、を両立可能となっている。
【００４８】
更に、本発明の実施形態に係るコネクタ１によれば、係止部３２の柱状箇所３４に窪み４２が設けられ、この窪み４２を起点として先端箇所３５が「所定の向き」に傾く。よって、窪み４２の位置や大きさ等を調整することで、先端箇所３５の傾きを任意に制御できることになる。
【００４９】
更に、本発明の実施形態に係るコネクタ１によれば、係止孔１５の孔内面のうちの係止部３２の柱状箇所３４の窪み４２に向かい合う部分（即ち、外側斜面１７）が、前後方向に対して「所定の向き」に傾いた傾斜軸方向Ｌ２（図６（ｂ）参照）に沿うように傾いている。よって、窪み４２を起点に係止部３２の柱状箇所３４が湾曲し、湾曲した柱状箇所３４が係止孔１５の孔内面に向けて突出しても、柱状箇所３４が孔内面に突き当たり難い。よって、係止部３２の先端箇所３５が「所定の向き」に傾くように、柱状箇所３４を適正に湾曲させることができる。
【００５０】
更に、本発明の実施形態に係るコネクタ１によれば、係止部３２の先端箇所３５と窪み４２とが連続するように、窪み４２が設けられている。ここで、係止部３２の先端箇所３５と窪み４２とが離れていると、係止部３２が湾曲した際、先端箇所３５と窪み４２との間にある部分が係止孔１５の孔内面に向けて突出し、この部分と孔内面との接触に起因し、先端箇所３５が係止孔１５を通過し難くなる懸念がある。しかし、係止部３２の先端箇所３５と窪み４２とが連続する場合、このような懸念がない。よって、ハウジング２とパッキン３との組み付けを更に適正に行い得る。
【００５１】
更に、本発明の実施形態に係るコネクタ１によれば、係止孔１５を前後方向から見たときの係止孔１５の開口の大きさ（図６（ｂ）における開口幅寸法ｃ）よりも、係止孔１５を傾斜軸方向Ｌ２から見たときの係止孔１５の開口の大きさ（開口幅寸法ｄ）が大きい（ｃ＜ｄ、図６（ｂ）参照）。よって、係止部３２の先端箇所３５が傾斜軸方向Ｌ２に沿った「所定の向き」に傾くことによる組み付け性の向上に加え、係止孔１５の見かけ上の開口が増大することにより、更にハウジング２とパッキン３との組み付けを適正に行い得る。
【００５２】
更に、本発明の実施形態に係るコネクタ１によれば、係止部３２の先端箇所３５が係止孔１５に挿通される際、まず、先端箇所３５を突部１９に接触させることによって先端箇所３５を前後方向に対してオフセットさせて外側斜面１７に近付けるように変位させた後、先端箇所３５を外側斜面１７に接触させることによって先端箇所３５を「所定の向き」に傾けることができる。発明者による検討によれば、このように係止部３２の先端箇所３５を一旦オフセットさせた後に係止部３２の柱状箇所３４を湾曲させることで、係止部３２が湾曲する向きをより確実に制御できることが明らかになっている。よって、本発明の実施形態に係るコネクタ１の製造方法により、更にハウジング２とパッキン３との組み付けを適正に行い得る。
【００５３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
上記実施形態では、パッキン３の係止部３２の柱状箇所３４に窪み４２が設けられているが、このような窪みが設けられていなくてもよい。更には、上記実施形態では、係止部３２の先端箇所３５と窪み４２とが連続するように、窪み４２が設けられているが、係止部３２の先端箇所３５と窪み４２とが前後方向に離れるように、窪みが設けられていてもよい。
【００５５】
更に、上記実施形態では、係止孔１５の孔内面のうちの係止部３２の柱状箇所３４の窪み４２に向かい合う部分（即ち、外側斜面１７）が、前後方向に対して「所定の向き」に傾いた傾斜軸方向Ｌ２（図６（ｂ）参照）に沿うように傾いているが、このような外側斜面１７が設けられなくてもよい。
【００５６】
更に、上記実施形態では、係止孔１５を前後方向から見たときの係止孔１５の開口幅寸法ｃよりも、係止孔１５を傾斜軸方向Ｌ２から見たときの係止孔１５の開口幅寸法ｄが大きい（ｃ＜ｄ、図６（ｂ）参照）。しかし、開口幅寸法ｃと開口幅寸法ｄとが同一であってもよいし、開口幅寸法ｃよりも開口幅寸法ｄが小さくてもよい。
【００５７】
ここで、上述した本発明に係るコネクタ１及びコネクタ１の製造方法の実施形態の特徴をそれぞれ以下［１］〜［８］に簡潔に纏めて列記する。
［１］
係止孔（１５）を有するハウジング（２）と、
前記係止孔（１５）に挿通されて係止される柱状の係止部（３２）を有し、前記係止部（３２）の柱軸方向に沿って前記ハウジング（２）に組み付けられるシーリング部品（３）と、
を備えたコネクタ（１）であって、
前記係止部（３２）は、
前記係止孔（１５）を通り抜けて前記係止孔（１５）の周縁部（２２）に係合する先端箇所（３５）と、前記先端箇所（３５）から延びる柱状箇所（３４）と、を有し、
前記先端箇所（３５）は、
前記柱状箇所（３４）が湾曲していない状態にて前記柱軸方向から見たときの前記先端箇所（３５）の大きさ（ａ）よりも、前記柱状箇所（３４）が湾曲して前記先端箇所（３５）が前記柱軸方向に対して所定の向きに傾いた状態にて前記柱軸方向から見たときの前記先端箇所（３５）の大きさ（ｂ）が小さくなる、形状を有し、
当該コネクタ（１）は、
前記ハウジング（２）と前記シーリング部品（３）との組み付けの際、前記先端箇所（３５）が前記向きに傾くように前記柱状箇所（３４）が湾曲した状態にて、前記先端箇所（３５）が前記係止孔（１５）を通り抜ける、ように構成された、
コネクタ（１）。
［２］
上記［１］に記載のコネクタ（１）において、
前記柱状箇所（３４）は、
当該柱状箇所（３４）の側面に窪み（４２）を有し、
当該コネクタ（１）は、
前記ハウジング（２）と前記シーリング部品（３）との組み付けの際、前記窪み（４２）を起点として前記柱状箇所（３４）が湾曲することによって前記先端箇所（３５）が前記向きに傾く、ように構成された、
コネクタ（１）。
［３］
上記［２］に記載のコネクタ（１）において、
前記係止孔（１５）の孔内面のうち前記柱状箇所（３４）の前記窪み（４２）に向かい合う面（１７）が、前記柱軸方向に対して前記向きに傾いた傾斜軸方向（Ｌ２）に沿うように傾斜している、
コネクタ（１）。
［４］
上記［２］又は上記［３］に記載のコネクタ（１）において、
前記先端箇所（３５）と前記窪み（４２）とが連続するように、前記窪み（４２）が設けられている、
コネクタ（１）。
［５］
上記［１］〜上記［４］の何れか一つに記載のコネクタ（１）において、
前記係止孔（１５）は、
前記柱軸方向から見たときの開口の大きさ（幅ｃ）よりも、前記傾斜軸方向（Ｌ２）から見たときの開口の大きさ（幅ｄ）が大きい、
コネクタ（１）。
［６］
係止孔（１５）を有するハウジング（２）と、前記係止孔（１５）に挿通されて係止される柱状の係止部（３２）を有し且つ前記係止部（３２）の柱軸方向に沿って前記ハウジング（２）に組み付けられるシーリング部品（３）と、を備えたコネクタ（１）を製造するための、コネクタ（１）の製造方法であって、
前記係止部（３２）は、
前記係止孔（１５）を通り抜けて前記係止孔（１５）の周縁部（２２）に係合する先端箇所（３５）と、前記先端箇所（３５）から延びる柱状箇所（３４）と、を有し、
前記先端箇所（３５）は、
前記柱状箇所（３４）が湾曲していない状態にて前記柱軸方向から見たときの前記先端箇所（３５）の大きさ（ａ）よりも、前記柱状箇所（３４）が湾曲して前記先端箇所（３５）が前記柱軸方向に対して所定の向きに傾いた状態にて前記柱軸方向から見たときの前記先端箇所（３５）の大きさ（ｂ）が小さくなる、形状を有し、
当該製造方法は、
前記先端箇所（３５）が前記向きに傾くように前記柱状箇所（３４）を湾曲させながら前記ハウジング（２）と前記シーリング部品（３）とを組み付ける組付工程、を含む、
コネクタ（１）の製造方法。
［７］
上記［６］に記載の製造方法において、
前記柱状箇所（３４）は、当該柱状箇所（３４）の側面に窪み（４２）を有し、
前記組付工程において、
前記窪み（４２）を起点として前記柱状箇所（３４）を湾曲させることにより、前記先端箇所（３５）を前記向きに傾ける、
コネクタ（１）の製造方法。
［８］
上記［７］に記載の製造方法において、
前記ハウジング（２）は、
前記係止孔（１５）の孔内面のうち前記柱状箇所（３４）の前記窪み（４２）に向かい合う第１面（１７）が、前記柱軸方向に対して前記向きに傾いた傾斜軸方向（Ｌ２）に沿うように傾斜し、且つ、前記柱状箇所（３４）を挟んで第１面（１７）に向かい合う第２面（１９）が、前記柱軸方向に交差して前記第１面（１７）に近付く向きに突出する、ように構成され、
前記組付工程において、
前記先端箇所（３５）を前記第２面（１９）に接触させることによって前記先端箇所（３５）を前記柱軸方向に対してオフセットさせて前記第１面（１７）に近付けるように変位させた後、前記先端箇所（３５）を前記第１面（１７）に接触させることによって前記先端箇所（３５）を前記向きに傾ける、
コネクタの製造方法。
【符号の説明】
【００５８】
１      コネクタ
２      ハウジング
３      パッキン（シーリング部品）
１５    係止孔
１７    外側斜面（窪みに向かい合う面、第１面）
１９    突部（第２面）
２２    前端面（周縁部）
３２    係止部
３４    柱状箇所
３５    先端箇所
４２    窪み
【図１】
2020119835.tif 000003
【図２】
2020119835.tif 000004
【図３】
2020119835.tif 000005
【図４】
2020119835.tif 000006
【図５】
2020119835.tif 000007
【図６】
2020119835.tif 000008